(57)【特許請求の範囲】
【請求項１】
前後に対向する一側針床と他側針床を備える横編機を用いて、着用者の足裏部分を覆うソールカバーを備えるシューズアッパーを編成するシューズアッパーの編成方法において、
前記ソールカバーを編成する途中で、前記ソールカバーの周縁部の編幅内から編出され、前記周縁部における編出し位置とは別の位置に繋がれるストラップ状編地部を編成し、
前記ソールカバーを編成する際、少なくとも前記周縁部を前記一側針床と前記他側針床の両方を用いた肉厚の編組織で編成し、
前記ストラップ状編地部を編成する際、前記周縁部の編幅内の前記一側針床と前記他側針床の空針に、前記周縁部の編目に繋がる筒状の始端部を編成し、その始端部に続く複数段の編目列を編成した後、筒状の終端部を前記周縁部の前記一側針床の編目と前記他側針床の編目に重ねて接合するシューズアッパーの編成方法。
【請求項２】
前記ストラップ状編地部を構成する複数段の編目列のうちの少なくとも一部を、前記ソールカバーの編成範囲の外側で編成する請求項１に記載のシューズアッパーの編成方法。
【請求項３】
前記周縁部における前記ソールカバーの右側寄りの部分から、前記ストラップ状編地部の一つである第一ストラップを編み出すと共に、前記周縁部における前記ソールカバーの左側寄りの部分から、前記ストラップ状編地部の一つである第二ストラップを編出し、
前記第一ストラップと前記第二ストラップを前記ソールカバーに繋げる前に、前記第一ストラップと前記第二ストラップとを交差させる請求項１または請求項２に記載のシューズアッパーの編成方法。
【請求項４】
着用者の足裏部分を覆うソールカバーを備える編地であるシューズアッパーにおいて、
前記ソールカバーの周縁部の編幅内に設けられる筒状の始端部と、前記周縁部における前記始端部とは別の位置に繋がれる筒状の終端部と、を有するストラップ状編地部を備え、
前記ソールカバーのうち、少なくとも前記周縁部は、一側編地部と他側編地部と、が厚み方向に重なる肉厚の編組織で構成され、
前記ストラップ状編地部の前記始端部は、前記一側編地部の編目の間に配置され、前記一側編地部の編目に繋がる編目と、前記他側編地部の編目の間に配置され、前記他側編地部の編目に繋がる編目と、で形成され、
前記ストラップ状編地部の前記終端部は、前記一側編地部の編目と前記他側編地部の編目に重ねられて接合されているシューズアッパー。
【発明の詳細な説明】
【技術分野】
【０００１】
本発明は、ストラップ状編地部を備えるシューズアッパー、およびその編成方法に関する。
【背景技術】
【０００２】
シューズは、シューズアッパーに、合成樹脂などでできたアウターソールなどを取り付けることで製造される。室内で使用するシューズを作製する場合、シューズアッパーのみでシューズが構成されることもある。シューズアッパーは、着用者の足裏の部分に対応したソールカバーと、着用者の甲側の部分に対応したインステップカバーと、を備える。
【０００３】
近年、シューズアッパーの少なくとも一部を、横編機で編成した編地で構成することが試みられている。例えば特許文献１には、シューズアッパーの一部あるいは全部を横編機で編成し、そのシューズアッパーにアウターソールを取り付けたスニーカーが開示されている。
【先行技術文献】
【特許文献】
【０００４】
【特許文献１】特表２０１０−５０８９６８号公報
【発明の概要】
【発明が解決しようとする課題】
【０００５】
消費者のニーズの多様化に伴い、横編機で編成された新規なシューズアッパーの開発が求められている。例えば、足の甲を拘束するストラップを有するサンダルやミュールなどを編地で構成することができれば、消費者の多様なニーズに応えることができる。
【０００６】
本発明は上記事情に鑑みてなされたものであり、その目的の一つは、ストラップ状編地部を備えるシューズアッパーと、その編成方法を提供することにある。
【課題を解決するための手段】
【０００７】
本発明のシューズアッパーの編成方法は、前後に対向する一側針床と他側針床を備える横編機を用いて、着用者の足裏部分を覆うソールカバーを備えるシューズアッパーを編成するシューズアッパーの編成方法である。このシューズアッパーの編成方法では、前記ソールカバーを編成する途中で、前記ソールカバーの周縁部の編幅内から編出され、前記周縁部における編出し位置とは別の位置に繋がれるストラップ状編地部を編成する。前記ソールカバーを編成する際、少なくとも前記周縁部を前記一側針床と前記他側針床の両方を用いた肉厚の編組織で編成する。また、前記ストラップ状編地部を編成する際、前記周縁部の編幅内の前記一側針床と前記他側針床の空針に、前記周縁部の編目に繋がる筒状の始端部を編成し、その始端部に続く複数段の編目列を編成した後、筒状の終端部を前記周縁部の前記一側針床の編目と前記他側針床の編目に重ねて接合する。
【０００８】
本発明のシューズアッパーの編成方法の一形態として、前記ストラップ状編地部を構成する複数段の編目列のうちの少なくとも一部を、前記ソールカバーの編成範囲の外側で編成する形態を挙げることができる。
【０００９】
本発明のシューズアッパーの編成方法の一形態として、前記周縁部における前記ソールカバーの右側寄りの部分から、前記ストラップ状編地部の一つである第一ストラップを編み出すと共に、前記周縁部における前記ソールカバーの左側寄りの部分から、前記ストラップ状編地部の一つである第二ストラップを編出し、前記第一ストラップと前記第二ストラップを前記ソールカバーに繋げる前に、前記第一ストラップと前記第二ストラップとを交差させる形態を挙げることができる。
【００１０】
本発明のシューズアッパーは、着用者の足裏部分を覆うソールカバーを備える編地であるシューズアッパーであって、前記ソールカバーの周縁部の編幅内に設けられる筒状の始端部と、前記周縁部における前記始端部とは別の位置に繋がれる筒状の終端部と、を有するストラップ状編地部を備える。このシューズアッパーでは、前記ソールカバーのうち、少なくとも前記周縁部は、一側編地部と他側編地部と、が厚み方向に重なる肉厚の編組織で構成されている。また、前記ストラップ状編地部の前記始端部は、前記一側編地部の編目の間に配置され、前記一側編地部の編目に繋がる編目と、前記他側編地部の編目の間に配置され、前記他側編地部の編目に繋がる編目と、で形成され、前記ストラップ状編地部の前記終端部は、前記一側編地部の編目と前記他側編地部の編目に重ねられて接合されている。
【発明の効果】
【００１１】
本発明のシューズアッパーの編成方法によれば、ストラップ状編地部を備える今までに無い構成の本発明のシューズアッパーを編成することができる。この本発明のシューズアッパーでは、ソールカバーの少なくとも一部が前後の針床を用いて編成した肉厚の編組織で構成され、かつその肉厚の編組織で構成される部分にストラップ状編地部の筒状の始端部と終端部が接続されている。そのため、着用時に応力が集中し易い始端部と終端部がソールカバーから外れ難くなっている。
【００１２】
ストラップ状編地部を構成する編目列の少なくとも一部を、ソールカバーの編成範囲の外側で編成するシューズアッパーの編成方法によれば、長いストラップ状編地部を編成し易い。
【００１３】
第一ストラップと第二ストラップを交差させるシューズアッパーの編成方法によれば、第一ストラップと第二ストラップとが交差したシューズアッパーを編成することができる。
【図面の簡単な説明】
【００１４】
【図１】実施形態１のシューズアッパーの斜視図である。
【図２】実施形態１のシューズアッパーの編成手順を模式的に示す編成イメージ図である。
【図３】ストラップ状編地部の始端部の編成工程の一例を示す編成工程図である。
【図４】ストラップ状編地部の終端部の編成工程の一例を示す編成工程図である。
【図５】（Ａ），（Ｂ）は、第一ストラップと第二ストラップとが交差する部分が繋がった状態を説明する説明図である。
【図６】図５（Ａ）に示す第一ストラップと第二ストラップの編成手順を模式的に示す編成イメージ図である。
【図７】（Ａ）〜（Ｄ）は、実施形態とは異なるストラップ状編地部を備えるシューズアッパーの一部を示す概略図である。
【発明を実施するための形態】
【００１５】
以下、本発明のシューズアッパーとその編成方法の実施形態を図面に基づいて説明する。もちろん、以下に示す実施形態は一例に過ぎず、本発明は実施形態の構成に限定されない。
【００１６】
＜実施形態１＞
≪全体構成≫
図１に示すサンダル（シューズ）１００は、編地によって形成されるシューズアッパー１と、シューズアッパー１の底側に取り付けられるアウターソール５と、を備える。サンダル１００のシューズアッパー１は、着用者の足裏部分を覆うソールカバー２と、着用者の甲側部分に掛け渡される複数のストラップ状編地部３と、着用者の踵部分に掛け渡される踵保持部４と、を備える。つまりこのシューズアッパー１は、編地で構成される従来のシューズアッパーに備わるインステップカバーの代わりに、ストラップ状編地部３が設けられたシューズアッパー１である。
【００１７】
上記シューズアッパー１は、熱融着糸を含む融着編糸で編成することが好ましい。もちろん、シューズアッパー１を、熱融着糸を含まない非融着編糸で編成することもできるし、シューズアッパー１の一部を融着編糸で編成し、残部を非融着編糸で編成しても構わない。
【００１８】
［ソールカバー］
本例のソールカバー２は、爪先から踵に向って編成される編地である。つまり、ソールカバー２の長さ方向が編地のウエール方向で、ソールカバー２の幅方向が編地の編幅方向である。本例と異なり、ソールカバー２は踵から爪先に向って編成することもできる。
【００１９】
ソールカバー２の少なくとも一部は、一側針床と他側針床の両方を用いて編成された肉厚の編組織を有する。より具体的には、後述するストラップ状編地部３が繋がる部分を含む周縁部２０（図中の二点鎖線よりも外側の部分）は少なくとも肉厚の編組織とする。ここで、肉厚の編組織とは、厚み方向に重なる一側編地部と他側編地部とを有する編組織である。肉厚の編組織とすることでソールカバー２の強度を向上させることができ、また後述するストラップ状編地部３の接合箇所が目立たなくなるのでシューズアッパー１の見栄えを向上させることができる。
【００２０】
［ストラップ状編地部］
ストラップ状編地部３は、そのウエール方向の始端部３ｓと終端部３ｅが共に、ソールカバー２の周縁部２０の編幅内に繋がるストラップ状に形成された編地である。本例では、複数のストラップ状編地部３のうち、ウエール方向の始端部３１ｓ（３ｓ）がソールカバー２の右側部分に繋がるものを第一ストラップ３１、ウエール方向の始端部３２ｓ（３ｓ）がソールカバー２の左側部分に繋がるものを第二ストラップ３２とする。本例の第一ストラップ３１は、その終端部３１ｅが、ソールカバー２の左側部分における始端部３１ｓよりも踵側にずれた位置に繋がっており、第二ストラップ３２は、その終端部３２ｅが、ソールカバー２の右側部分における始端部３２ｓよりも踵側にずれた位置に繋がっている。そのため、第一ストラップ３１と第二ストラップ３２は、ソールカバー２の幅方向の中央付近で『Ｘ』字状に交差している。
【００２１】
本例のストラップ３１，３２は、後述するシューズアッパーの編成方法に示すように、筒状に編成されている。また、両ストラップ３１，３２の始端部３１ｓ，３２ｓと終端部３１ｅ，３２ｅは、ソールカバー２の肉厚の編組織で形成された周縁部２０に筒状に繋がっている。
【００２２】
≪シューズアッパーの編成方法≫
図２の編成イメージ図に基づいてシューズアッパー１の編成手順を説明する。図２では、工程の順番をローマ数字で示す。
【００２３】
工程Ｉでは、ソールカバー２をその爪先側から編成する。ソールカバー２の少なくとも周縁部２０は、一側針床と他側針床の両方を用いた肉厚の編組織となるように編成する。例えば、リブ編みや袋編みなどの前後の針床を用いる編成を適宜組み合わせて肉厚の編組織を有するソールカバー２を編成することができる。
【００２４】
工程ＩＩでは、周縁部２０の右側部分（紙面上は左側）の編幅内から周縁部２０の一側編地部と他側編地部とに繋がる第一ストラップ３１の始端部３１ｓを形成し、その始端部３１ｓに基づいて第一ストラップ３１を編成する。第一ストラップ３１の編成にあたっては、第一ストラップ３１を徐々にソールカバー２の編成範囲の外側（ソールカバー２の右側であって紙面上は左側）に向って移動させる。ここで、ソールカバー２に繋がる第一ストラップ３１をソールカバー２の編成範囲内の同じ位置で編み続けると、第一ストラップ３１の歯口下方への送り出しが、針床に係止されたソールカバー２によって阻害される虞がある。特に、第一ストラップ３１が長くなるほど、第一ストラップ３１が歯口下方に送り出され難く、第一ストラップ３１の編目が編針から浮いた状態となって、第一ストラップ３１を編成できなくなる虞もある。これに対して、第一ストラップ３１をソールカバー２の編成範囲の外側に移動させながら編成することで、上記問題が生じることを抑制でき、長い第一ストラップ３１を容易に編成することができる。
【００２５】
この第一ストラップ３１は、一側針床と他側針床を用いて筒状に編成しても良いし、ソールカバー２と同様に一側針床と他側針床を用いて編成される肉厚の編組織に編成しても良い。その他、第一ストラップ３１の編幅を徐々に広げたり狭めたりしても良い。第一ストラップ３１の始端部３１ｓの具体的な編成工程は、図３の編成工程図に基づいて後述する。
【００２６】
工程ＩＩＩでは、周縁部２０の左側部分（紙面上は右側）の編幅内から周縁部２０の一側編地部と他側編地部とに繋がる第二ストラップ３２の始端部３２ｓを編成し、その始端部３２ｓに基づいて第二ストラップ３２を編成する。図２では、始端部３２ｓがソールカバー２から離隔しているが、実際には始端部３２ｓはソールカバー２に繋がっている。第二ストラップ３２の編成にあたっては、第二ストラップ３２を徐々にソールカバー２の編成範囲の外側（ソールカバー２の左側で紙面上は右側）に向って移動させる。この第二ストラップ３２も、筒状あるいは単層状に編成することができる。
【００２７】
工程ＩＶでは、第一ストラップ３１をソールカバー２の左側方向（紙面上は右方向）に移動させると共に、第二ストラップ３２をソールカバー２の右側方向（紙面上は左方向）に移動させ、両ストラップ３１，３２をソールカバー２の編幅方向の中央付近で交差させる。ここで、両ストラップ３１，３２が交差する部分で、交差する二つのストラップ３１，３２を編成によって接合することもできる。例えば、第一ストラップ３１から分岐する掛け目を形成し、その掛け目に第二ストラップ３２の編目を重ねて、その重ね目に続けて第二ストラップ３２を編成することで、両ストラップ３１，３２をその交差位置で接合することができる。
【００２８】
工程Ｖでは、ソールカバー２の左側に移動させた第一ストラップ３１の編成を行なう。その第一ストラップ３１の編成も、第一ストラップ３１を徐々にソールカバー２の編成範囲の外側に向って移動させながら行なう。また、工程ＶＩでは、ソールカバー２の右側に移動させた第二ストラップ３２の編成を行なう。その第二ストラップ３２の編成も、第二ストラップ３２を徐々にソールカバー２の編成範囲の外側に向って移動させながら行なう。
【００２９】
工程ＶＩＩでは、ソールカバー２の編成コース数を増す。編成コースを何段分編成するかによって、ソールカバー２における両ストラップ３１，３２の終端部３１ｅ，３２ｅの接続位置が決まる。
【００３０】
工程ＶＩＩＩでは、第一ストラップ３１をソールカバー２に近づく方向（紙面上の左方向）に移動させながら第一ストラップ３１を編成し、第一ストラップ３１の筒状の終端部３１ｅをソールカバー２に接続する。また、工程ＩＸでは、第二ストラップ３２をソールカバー２に近づく方向（紙面上の右方向）に移動させながら第二ストラップ３２を編成し、第二ストラップ３２の筒状の終端部３２ｅをソールカバー２に接続する。終端部３１ｅの具体的な接合工程は、図４の編成工程図に基づいて後述する。
【００３１】
以降、上記工程を繰り返すことで、ソールカバー２に繋がる両ストラップ３１，３２を編成することができる。なお、踵保持部４については、公知の編成方法で編成することができるので、その説明を省略する。
【００３２】
≪ストラップ状編地部の始端部および終端部の編成≫
図３は、第一ストラップ３１（ストラップ状編地部３）の始端部３１ｓの編成の一例を示す編成工程図であり、図４は、第一ストラップ３１の終端部３１ｅの編成の一例を示す編成工程図である。図３，４の左欄の『アルファベット＋数字』は編成工程の番号を示しており、右欄には各編成工程における編成状態が模式的に示されている。右欄の針床の黒点は編針を、丸印は編目を、Ｖ印は掛け目を、二重丸は重ね目を示している。大文字アルファベットは、前針床ＦＢ（一側針床）、後針床ＢＢ（他側針床）の編針の位置を示している。
【００３３】
図３のＳ０には、ソールカバー２の一側編地部２ＦがＦＢの編針に、ソールカバー２の他側編地部２ＢがＢＢの編針に係止された状態が示されている（図２の工程Ｉを合わせて参照）。両編地部２Ｆ，２Ｂは、針抜き編成（隣接する編目の間に空針を設けた編成）によって編成されている。また、両編地部２Ｆ，２Ｂの左側の４目は周縁部２０の編目である。この状態から第一ストラップ３１の編成を開始する。
【００３４】
Ｓ１では、給糸口８を用いた筒状編成を行い、ソールカバー２の編目を編成すると共に、ソールカバー２の周縁部２０の編幅内の空針（ＦＢの編針Ｆ，Ｈ，ＪおよびＢＢの編針Ｉ，Ｇ，Ｅ）に、第一ストラップ３１を編成するための起点である始端部３１ｓとなる掛け目を編成する。この始端部３１ｓを構成する編目（掛け目）は、周縁部２０における一側編地部２Ｆの編目の間と他側編地部２Ｂの編目の間に筒状に配置され、ソールカバー２と同じ編糸で編成されている。掛け目は、ソールカバー２の周縁部２０の編目と同時に編成されて、当該編目に直接繋がっており、そのためソールカバー２の周縁部２０と始端部３１ｓとが強固に繋がっている。また、ソールカバー２の周縁部２０に始端部３１ｓを筒状に繋げることで、第一ストラップ３１を引っ張ったときに、始端部３１ｓ全体に張力を分散させることができ、始端部３１ｓがソールカバー２から外れ難くなる。
【００３５】
ここで、Ｓ１とは異なり、割増やしによって始端部３１ｓを編成することもできる。例えば、給糸口８を左方向に移動させ、ＦＢの編針Ｑ，Ｏ，Ｍ，Ｋの編目に続く編目を編成し、ＢＢの編針Ｊ，Ｈ，Ｆの編目に割増やしを行なう。次いで、給糸口８を右方向に移動させ、ＢＢの編針Ｄの編目に続く編目を編成し、ＦＢの編針Ｅ，Ｇ，Ｉに割増やしを行なった後、ＢＢの編針Ｌ，Ｎ，Ｐの編目に続く編目を編成する。この場合、割増やしによってＦＢの編針Ｊ，Ｈ，ＦとＢＢの編針Ｅ，Ｇ，Ｉに目移しされた旧ループである増し目が、第一ストラップ３１の始端部３１ｓとなる。始端部３１ｓを形成した後、始端部３１ｓと周縁部２０の編目のウエール方向に続けて筒状編成を行い、始端部３１ｓと周縁部２０との接続を強固にすることが好ましい。その他、４枚ベッド横編機の場合、給糸口９を用いて、周縁部２０の編幅内の空針の位置に筒状に配置される複数の編目を形成し、それらの編目に割増やしを行って始端部３１ｓを形成しても良い。その場合、割増やしによって目移しされた旧ループである増し目と、その増し目から引き出された新規編目からなる始端部３１ｓと、が形成される。割増やし後、増し目を周縁部２０に重ね、その重ね目のウエール方向に続く編目を編成することで、始端部３１ｓを周縁部２０に繋げることができる。
【００３６】
Ｓ２では、給糸口９を用いてＦＢの編針Ｆ，Ｈ，Ｊの掛け目に続く編目を編成した後、ＢＢの編針Ｉ，Ｇ，Ｅの掛け目に続く編目を編成する。このＳ２によって、第一ストラップ３１の始端部３１ｓに続けて、第一ストラップ３１が一段分編成される。ここで、第一ストラップ３１の編成には、Ｓ１でソールカバー２の編成に用いた給糸口８を用いることもできる。
【００３７】
Ｓ３では、Ｓ２で編成した第一ストラップ３１の編目を、ソールカバー２の編幅方向の外側（紙面左側）に移動させ、第一ストラップ３１をさらに一段分編成する。続くＳ４では、Ｓ３と同様に、第一ストラップ３１の移動と編成を行なう。以降は、Ｓ３，Ｓ４と同様の編成を繰り返せば良い。
【００３８】
図４のＴ０には、ＦＢの編針Ｋ，Ｍ，ＯとＢＢの編針Ｊ，Ｌ，Ｎに第一ストラップ３１の最終段の編目列（終端部３１ｅ）を編成した状態が示されている（図２の工程ＶＩＩＩを合わせて参照）。一側編地部２Ｆと他側編地部２Ｂの右側の４目は周縁部２０の編目である。なお、図４の大文字アルファベットで示す編針は、図３の大文字アルファベットで示す編針とは異なる編針である。
【００３９】
この状態から、Ｔ１に示すように、第一ストラップ３１の終端部３１ｅの編目をソールカバー２の編幅方向の内方側（紙面左側）に移動させ、終端部３１ｅの編目とソールカバー２の周縁部２０の編目とを重ねる。その際、ＦＢに係止される終端部３１ｅの編目（終端部３１ｅの一部）は、ＦＢに係止される周縁部２０の一側編地部２Ｆの編目に、ＢＢに係止される終端部３１ｅの編目（終端部３１ｅの他部）は、ＢＢに係止される周縁部２０の他側編地部２Ｂの編目に重ねる。
【００４０】
Ｔ２では、重ね目を含むソールカバー２の編目に続く編目を編成する。このＴ２によってソールカバー２が一段分編成されると共に、重ね目が固定される。つまり、第一ストラップ３１の筒状の終端部３１ｅの一部（筒の一方の側の部分）が周縁部２０の一側編地部２Ｆに固定され、当該筒状の終端部３１ｅの他部（筒の他方の側の部分）が周縁部２０の他側編地部２Ｂに固定される。終端部３１ｅを前後に分散してソールカバー２に接合することで、第一ストラップ３１を引っ張ったときに、終端部３１ｅ全体に張力を分散させることができるので、終端部３１ｅがソールカバー２から外れ難くなる。
【００４１】
ここで、第一ストラップ３１を一度に周縁部２０に接合するのではなく、徐々に周縁部２０に接合することもできる。具体的には、第一ストラップ３１の左端目を周縁部２０の右端目に重ねた後、その重ね目を含む第一ストラップ３１の編目列を編成することを繰り返す。
【００４２】
＜実施形態２＞
実施形態２では、第一ストラップ３１と第二ストラップ３２とが交差する部分で、両ストラップ３１，３２を繋げたシューズアッパーを説明する。
【００４３】
図５（Ａ）は、第一ストラップ３１に第二ストラップ３２を貫通させた状態で両ストラップ３１，３２を交差させた例が示されている。このような第一ストラップ３１と第二ストラップ３２を備えるシューズアッパーを編成するには、図２の工程ＩＶで第一ストラップ３１と第二ストラップ３２を交差させる際、図６（Ａ）に示すように、第一ストラップ３１のＦＢ側編地部３１ｆとＢＢ側編地部３１ｂとを別々に複数段編成する。ＦＢ側編地部３１ｆとＢＢ側編地部３１ｂはそれぞれ、第一ストラップ３１のうちＦＢで編成される部分とＢＢで編成される部分である。次に、図６（Ｂ）に示すように、ＦＢ側編地部３１ｆとＢＢ側編地部３１ｂの間に、第二ストラップ３２を通す。最後に、図６（Ｃ）に示すように、ＦＢ側編地部３１ｆとＢＢ側編地部３１ｂとを筒状に繋ぎ合わせる。同様の考え方に基づいて、第二ストラップ３２に第一ストラップ３１を貫通させることもできる。
【００４４】
図５（Ｂ）に示すように、第一ストラップ３１と第二ストラップ３２を鎖状に繋げても構わない。この場合、両ストラップ３１，３２をそれぞれ、ＦＢ側編地部とＢＢ側編地部に分け、図６と同様に両ストラップ３１，３２を交差させれば良い。
【００４５】
第一ストラップ３１と第二ストラップ３２とが交差する部分で、両ストラップ３１，３２を繋げることで、両ストラップ３１，３２のおおよその位置が固定されるため、履き心地に優れるシューズアッパー１（サンダル１００）とすることができる。
【００４６】
＜実施形態３＞
実施形態１に示すシューズアッパーの編成方法を応用することで、多種多様なストラップ状編地部３を備えるシューズアッパーを編成することができる。その多様なストラップ状編地部３を備えるシューズアッパーの一例を図７に例示する。
【００４７】
図７（Ａ）は、幅広のストラップ状編地部３を備えるシューズアッパー１である。このストラップ状編地３は、その始端部３ｓと終端部３ｅとがシューズアッパー１の長さ方向の同じ位置に繋がっている。このようなストラップ状編地部３を形成するには、図２の工程ＩＩ，ＩＶ，Ｖを行い，工程ＶＩＩを行なうことなく工程ＶＩＩＩを行なえば良い。
【００４８】
図７（Ｂ），（Ｃ）は、ストラップ状編地部３の始端部３ｓと終端部３ｅが、ソールカバー２の編幅方向の同じ側に繋がるシューズアッパー１である。ストラップ状編地部３の始端部３ｓと終端部３ｅとは、シューズアッパー１の長さ方向の異なる位置に繋がっている。図７（Ｃ）のシューズアッパー１は、ストラップ状編地部３に紐６を通し、その紐６で着用者の甲を押さえる構成を備える。
【００４９】
その他、図７（Ｄ）に示すように、三つ以上のストラップ状編地部３が、ソールカバー２の幅方向の中間部付近で交差するシューズアッパー１とすることもできる。実施形態２に示す考え方に基づいて、三つのストラップ状編地部３が交差する部分で、二つあるいは三つのストラップ状編地部３が繋がった状態とすることもできる。
【符号の説明】
【００５０】
１００  サンダル（シューズ）
１  シューズアッパー
２  ソールカバー  ２０  周縁部  ２Ｆ  一側編地部  ２Ｂ  他側編地部
３  ストラップ状編地部  ３ｓ  始端部  ３ｅ  終端部
３１  第一ストラップ  ３１ｓ  始端部  ３１ｅ  終端部
３２  第二ストラップ  ３２ｓ  始端部  ３２ｅ  終端部
３１ｆ  ＦＢ側編地部  ３１ｂ  ＢＢ側編地部
４  踵保持部
５  アウターソール
６  紐
８，９  給糸口
【図１】
0006518549.tif 000002
【図２】
0006518549.tif 000003
【図３】
0006518549.tif 000004
【図４】
0006518549.tif 000005
【図５】
0006518549.tif 000006
【図６】
0006518549.tif 000007
【図７】
0006518549.tif 000008